(57)【特許請求の範囲】
【請求項１】
スロットマシンの取付け枠とスロットマシンの外周との間に挿入してスロットマシンを固定する固定装置であって、取付け枠の内側面にネジ止め固定する固定体と、該固定体に揺動自在に連結されスロットマシンの前面に係止可能な係止部が装着された揺動体と、スロットマシンの前後方向に延長されスロットマシンの後側面に係止する係合部が設けられた固定杆体とを備え、揺動体からスロットマシンの前方に延長される操作杆が設けられ、該操作杆の上下操作にて係止部が連動してスロットマシンの前面に係止するように構成し、スロットマシンの前後面を揺動体と固定杆体とで挟着固定するように構成したことを特徴とするスロットマシン用固定装置。
【請求項２】
前記固定杆体は、前記スロットマシンの前後方向に延長されスロットマシンの前面側で操作する杆体状の操作部と、該操作部の後端部に設けられた前記係合部とで構成され、前記係合部が前記スロットマシンの後面に係止した位置で操作部を固定するラチェット機構が設けられた請求項１記載のスロットマシン用固定装置。
【発明の詳細な説明】
【技術分野】
【０００１】
本発明は、スロットマシンを木製の枠に固定する際に、簡単な作業で固定することができるスロットマシン用固定装置に関する。
【背景技術】
【０００２】
スロットマシンを据え付ける場合、通常、上下に配設した木製の取付け枠内に、スロットマシンを挿入し、スロットマシンの上面部及び底面部をそれぞれ取付け枠に釘等で固定する作業が必要であった。
【０００３】
このような釘等による固定では、スロットマシンの据え付け作業が煩雑になり、交換や修理等の際にも多くの手間を要する不都合があった。そこで取付け枠にスロットマシンを容易に固定できる固定装置が特許文献１や特許文献２に提案されている。
【０００４】
特許文献１に記載の固定装置は、スロットマシンの上面に鋸歯状の歯を有する滑り止め部材を出没自在に設け、雄ねじ部材の回転で突出する滑り止め部材の歯が取付け枠に食い込むように構成したものである。
【０００５】
また、特許文献２に記載の固定装置においても、スロットマシンの上面に鋸歯状の歯を有する固定部材を設けたものである。特に、レバー状の操作部材を回動操作して固定部材を出没させることで、より簡単な操作で遊技機を固定することができるというものである。
【先行技術文献】
【特許文献】
【０００６】
【特許文献１】実公平６-２０５５２号公報
【特許文献２】特許第４１１３４４４号公報
【発明の概要】
【発明が解決しようとする課題】
【０００７】
これら従来の固定装置のように、スロットマシンの上面から滑り止め部材や固定部材を出没させる構成では、スロットマシンの上面部に予めこれらの部材を装着する必要がある。そのため、従来の固定装置では、このような特殊な部材を装着しているスロットマシンを固定することは可能でも、滑り止め部材や固定部材を装着していない一般のスロットマシンを簡単な作業で固定することはできなかった。
【０００８】
そこで本発明は上述の課題を解消すべく創出されたもので、スロットマシンに予め特殊な部材を装着する必要がなく、一般のスロットマシンを簡単な作業で固定することができるスロットマシン用固定装置の提供を目的とするものである。
【課題を解決するための手段】
【０００９】
上述の目的を達成すべく本発明における第１の手段は、スロットマシンＰの取付け枠ＱとスロットマシンＰの外周との間に挿入してスロットマシンＰを固定する固定装置であって、取付け枠Ｑの内側面にネジ止め固定する固定体１０と、該固定体１０に揺動自在に連結されスロットマシンＰの前面に係止可能な係止部２１が装着された揺動体２０と、スロットマシンＰの前後方向に延長されスロットマシンＰの後側面に係止する係合部３１が設けられた固定杆体３０とを備え、揺動体２０からスロットマシンＰの前方に延長される操作杆２２が設けられ、該操作杆２２の上下操作にて係止部２１が連動してスロットマシンＰの前面に係止するように構成し、スロットマシンＰの前後面を揺動体２０と固定杆体３０とで挟着固定するように構成したことにある。
【００１０】
第２の手段において、前記固定杆体３０は、前記スロットマシンＰの前後方向に延長されスロットマシンＰの前面側で操作する操作部３２と、該操作部３２の後端部に設けられた前記係合部３１とで構成され、前記係合部３１が前記スロットマシンＰの後面に係止した位置で操作部３２を固定するラチェット機構４０が設けられたものである。
【発明の効果】
【００１２】
請求項１に記載の構成のように、スロットマシンＰの前後面を揺動体２０と固定杆体３０とで挟着固定するように構成したことにより、固定体１０を取付け枠Ｑの内側面に固定するだけで、スロットマシンＰの据え付け作業が簡単に行えるようになる。したがって、従来の固定装置のように、スロットマシンＰの上面部に予め滑り止め部材や固定部材を出没させる特殊な部材を装着する必要がなくなり、一般のスロットマシンを簡単な作業で固定することができるものである。また、揺動体２０において、揺動体２０からスロットマシンＰの前方に延長される操作杆２２が設けられ、該操作杆２２の上下操作にて係止部２１が連動してスロットマシンＰの前面に係止するように構成したことにより、揺動体２０の係止部２１を簡単にスロットマシンＰの前面側に係合させることができる。
【００１３】
請求項２に記載のごとく、スロットマシンＰの前後方向に延長されスロットマシンＰの前面側で操作する操作部３２と、該操作部３２の後端部に設けられた係合部３１とで固定杆体３０を構成したことで、スロットマシンＰの前面側で操作部３２を操作するだけの簡単な操作でスロットマシンＰを挟着固定することができる。しかも、係合部３１がスロットマシンＰの後面に係止した位置で操作部３２を固定するラチェット機構４０を操作部３２に設けているので、係合部３１の係合状態を簡単に維持固定することができる。
【００１５】
このように本発明によると、スロットマシンに予め特殊な部材を装着する必要がなく、一般のスロットマシンを簡単な作業で固定することができるといった当初の目的を達成するものである。
【図面の簡単な説明】
【００１６】
【図１】本発明の一実施例を示す分解斜視図である。
【図２】本発明の使用状態を示す正面図である。
【図３】本発明の使用状態を示す側面図である。
【図４】本発明の固定体の固定状態を示す側断面図である。
【図５】（イ）は調整口の正面図、（ロ）は操作杆を示す側断面図である。
【図６】（イ）は調整口の正面図、（ロ）は操作杆を示す側断面図である。
【図７】本発明のラチェット機構の一実施例を示す平面図である。
【図８】本発明のラチェット機構の一実施例を示す要部側面図である。
【図９】本発明の操作杆体を示す斜視図である。
【図１０】本発明の操作杆を示す側断面図である。
【発明を実施するための形態】
【００１７】
本発明は、スロットマシンＰの取付け枠ＱとスロットマシンＰの外周との間に挿入してスロットマシンＰを固定する固定装置である（図２、図３参照）。本発明の基本構成は、固定体１０、揺動体２０、固定杆体３０を備えている（図１参照）。そして、スロットマシンＰの前後面を揺動体２０と固定杆体３０とで挟着固定するように構成したものである。
【００１８】
固定体１０は、取付け枠Ｑの内側面にネジ止め固定する部材である（図４参照）。図示の固定体１０は、矩形の蓋体状を成すもので、天板１１の周囲に前側板１２、左右側板１３、後側板１４の周側板が形成されている（図１参照）。そして、天板１１にネジ止め用のネジ孔１１Ａを開穿し、このネジ孔１１Ａを通して取付け枠Ｑの内側面に固定ネジ１５にてネジ止め固定する（図４参照）。図示の固定体１０は、取付け枠Ｑの上部内側に固定しているが、この他、取付け枠Ｑの側部や底部の内側に固定することも可能である。
【００１９】
固定体１０の周側板の内側には揺動体２０が収納されている（図４参照）。そして、この揺動体２０を連結ネジ１６と揺動ネジ１７にて左右側板１３に揺動自在に連結する（図１参照）。図示の揺動ネジ１７は、ボルトのネジ部に保護筒１７Ａを嵌合し、上下に長い長孔状の揺動ネジ孔１３Ｂに保護筒１７Ａを挿通することで、揺動体２０を上下揺動自在に連結する。一方、連結ネジ１６は固定ネジ孔１３Ａに挿通して揺動体２０の支点とする。
【００２０】
揺動体２０は、固定体１０に連結されスロットマシンＰの前面に揺動自在に係止する係止部２１が装着された部材である（図３参照）。図示の揺動体２０は、固定体１０の下面に収納する箱状を成す（図１参照）。この揺動体２０は、底部２３、前側板２４、後側板２５、左右側板２６を備えている。そして、前側板２４に係止部２１を固定すると共に、固定体１０の左右側板１３に、揺動体２０の左右側板２６を揺動自在に連結している。
【００２１】
この揺動体２０には、前記スロットマシンＰの前方に延長される操作杆２２が設けられている（図１参照）。この操作杆２２の上下操作にて係止部２１が連動してスロットマシンＰの前面に係止するように構成している。図示例では、前側板２４に貫通孔２４Ａを開穿し、この貫通孔２４ＡからスロットマシンＰの前面側に操作杆２２が突出するように設けている。一方、固定体１０の前側板１２に略コ字状の調整口１２Ａを形成し、操作杆２２をこの調整口１２Ａに挿通すると共に、操作杆２２の上下位置を調整口１２Ａで選択できるように設けている（図５、図６参照）。
【００２２】
すなわち、調整口１２Ａの上部に操作杆２２が係止している場合（図５（イ）参照）、揺動体２０が上方へ移動してスロットマシンＰの前面に係止部２１が係止していない状態になる（図５（ロ）参照）。一方、調整口１２Ａの下部に操作杆２２が係止している場合（図６（イ）参照）、揺動体２０が下方へ移動して係止部２１がスロットマシンＰの前面に係止する状態になる（図６（ロ）参照）。尚、操作杆２２に伸縮継手２２Ａを連結して伸縮自在に設けることで、不使用時にコンパクトに収納することができる（図１０参照）。
【００２３】
固定杆体３０は、スロットマシンＰの前後方向に延長された部材で、係合部３１と操作部３２とで構成している（図１参照）。係合部３１はスロットマシンＰの後面に係止する部位で、操作部３２はスロットマシンＰの前面側で操作する部位である（図９参照）。図示例では、Ｌ字状を成した操作部３２の後端部に係合部３１を連結したもので、操作部３２を回転させると係合部３１が回転してスロットマシンＰに係脱するように構成している。そして、この操作部３２を折り畳み自在に形成し、揺動体２０の内部に収納するように構成している（図１参照）。更に、操作部３２にはラチェット機構４０が設けられている。
【００２４】
このラチェット機構４０は、係合部３１がスロットマシンＰの後面に係止した位置で固定する機構で、スロットマシンＰの前面側で操作部３２を引っ張るだけで係合部３１がスロットマシンＰの後面に係止した状態を固定するものである（図７、図８参照）。図示のラチェット機構４０は、揺動体２０の底部２３に装着されている。このラチェット機構４０は、操作部３２に突設した歯４１と係止爪４２とコイルスプリング４３とで構成している（図７参照）。
【００２５】
すなわち、コイルスプリング４３は、係合部３１の係止面に設けられ、このコイルスプリング４３が圧縮されるとその反発力で係止爪４２に歯４１が係止する。ラチェット機構４０を解除するには、操作部３２を回転させることで、スロットマシンＰの後面から係合部３１が離れるものである（図８参照）。
【００２６】
本発明の固定装置は、スロットマシンＰの他、パチンコ台など他の遊戯台にも利用することができる。また、本発明の各構成は、図示例に限定されるものではなく、本発明の要旨を変更しない範囲で自由に設計変更することが可能である。
【符号の説明】
【００２７】
Ｐ  スロットマシン
Ｑ  取付け枠
１０  固定体
１１  天板
１１Ａ  ネジ孔
１２  前側板
１２Ａ  調整口
１３  左右側板
１３Ａ  固定ネジ孔
１３Ｂ  揺動ネジ孔
１４  後側板
１５  固定ネジ
１６  連結ネジ
１７  揺動ネジ
１７Ａ  保護筒
２０  揺動体
２１  係止部
２２  操作杆
２２Ａ  伸縮継手
２３  底部
２４  前側板
３０  固定杆体
３１  係合部
３２  操作部
４０  ラチェット機構
４１  歯
４２  係止爪
４３  コイルスプリング
【要約】
【課題】スロットマシンに予め特殊な部材を装着する必要がなく、一般のスロットマシンを簡単な作業で固定することができるスロットマシン用固定装置を提供する。
【解決手段】取付け枠Ｑの内側面にネジ止め固定する固定体１０を設ける。該固定体１０に揺動自在に連結される揺動体２０を設ける。スロットマシンＰの前面に揺動自在に係止する係止部２１を揺動体２０に装着する。スロットマシンＰの前後方向に延長される固定杆体３０を設ける。スロットマシンＰの後側面に係止する係合部３１を固定杆体３０に設ける。スロットマシンＰの前後面を揺動体２０と固定杆体３０とで挟着固定する。
【選択図】  図１【図１】
0005785644.tif 000002
【図２】
0005785644.tif 000003
【図３】
0005785644.tif 000004
【図４】
0005785644.tif 000005
【図５】
0005785644.tif 000006
【図６】
0005785644.tif 000007
【図７】
0005785644.tif 000008
【図８】
0005785644.tif 000009
【図９】
0005785644.tif 000010
【図１０】
0005785644.tif 000011